(57)【特許請求の範囲】
【請求項１】
無線ＬＡＮ（Local  Area  Network）機能部と、
外部機器との接続部と、
本来的には前記無線ＬＡＮ機能部とは独立に動作すると共に、前記接続部に接続された前記外部機器からのアクセスに応じて所定の処理動作をする機能を備える主処理部と、
前記接続部により前記外部機器に接続された時に、前記外部機器からの前記主処理部へのアクセスを禁止するアクセス禁止状態にし、前記アクセスの禁止状態において、前記無線ＬＡＮ機能部により、無線ＬＡＮ用のアクセスポイント装置との無線接続が確立することができるか否か判別し、前記アクセスポイント装置との無線接続が確立することができたときには、前記主処理部を前記アクセス禁止状態からアクセス許可状態に制御し、無線ＬＡＮ用のアクセスポイント装置との無線接続が確立できないときには前記主処理部を前記アクセス禁止状態のままに制御する制御手段と、
を備える携帯電子装置。
【請求項２】
請求項１に記載の携帯電子装置において、
前記主処理部は、記憶媒体を備えており、前記接続部により前記外部機器に接続されたときに、前記外部機器からの読み書きアクセスに応じて、前記外部機器からのデータを前記記憶媒体の書き込み、前記記憶媒体から読み出したデータを前記外部機器に転送する機能を備えるものであり、
前記制御手段は、無線ＬＡＮ用のアクセスポイント装置との無線接続が確立しているときには、前記外部機器からの前記記憶媒体への読み書きアクセスを可能状態にし、無線ＬＡＮ用のアクセスポイント装置との無線接続が確立できないときには、前記外部機器からの前記記憶媒体への読み書きアクセスを禁止する
ことを特徴とする携帯電子装置。
【請求項３】
請求項１または請求項２に記載の携帯電子装置において、
前記制御手段は、予め定められた認証用情報を受信したときにのみ、無線ＬＡＮ用のアクセスポイント装置との接続用情報の書き換えを許可する
ことを特徴とする携帯電子装置。
【請求項４】
無線ＬＡＮ（Local  Area  Network）機能部と、外部機器との接続部と、本来的には前記無線ＬＡＮ機能部とは独立に動作すると共に、前記接続部に接続された前記外部機器からのアクセスに応じて所定の処理動作をする機能を備える主処理部と、制御手段とを備える携帯電子装置の動作制御方法であって、
前記制御手段が、前記携帯電子装置が前記接続部により前記外部機器に接続された時に、前記外部機器からの前記主処理部へのアクセスを禁止するアクセス禁止状態にする工程と、
前記制御手段が、前記アクセス禁止状態において、前記無線ＬＡＮ機能部により無線ＬＡＮ用のアクセスポイント装置との無線接続が確立されたか否かを判別する判別工程と、
前記制御手段が、前記無線ＬＡＮ機能部により無線ＬＡＮ用のアクセスポイント装置との無線接続が確立していると判別したときは前記主処理部を前記アクセス禁止状態からアクセス許可状態に制御する第１の制御工程と、
前記制御手段が、前記アクセス禁止状態において、前記無線ＬＡＮ機能部により無線ＬＡＮ用のアクセスポイント装置との無線接続が確立できないと判別したときには前記主処理部を前記アクセス禁止状態のままに制御する第２の制御工程と、
を有する携帯電子装置の動作制御方法。
【発明の詳細な説明】
【技術分野】
【０００１】
この発明は、例えばＵＳＢ（Universal  Serial  Bus）メモリなどの携帯電子装置および、この携帯電子装置の動作制御方法に関する。
【背景技術】
【０００２】
ＵＳＢメモリなどの携帯型のデータ記憶装置の利用形態として、例えば、会社における一つのセクション内の人間というような特定の複数の人間で共有するデータを保存しておくような場合がある。このような場合、そのＵＳＢメモリは、格納されているデータのセキュリティを確保するために、会社の当該セクションでのみ使用され、社外へは持ち出し禁止の処置が採られるのが一般的であり、例えば、ＵＳＢメモリの保管場所および利用後の返却の管理を徹底するようにすることで、当該ＵＳＢメモリの会社外への持ち出しを禁止するようにしている。
【０００３】
しかし、このような管理を徹底したところで、ＵＳＢメモリが盗まれてしまった場合には、当該ＵＳＢメモリ内のデータに対してセキュリティ施策が施されていなければ、簡単にデータが、読み取られてしまうという問題がある。
【０００４】
そこで、このようなセキュリティの問題を解決する方法として、パスワードを用いる方法が従来から種々提案されている。例えば、特許文献１（特開２００７−１２５７１７号公報参照）には、予め定められたパスワードがユーザにより入力されたときにのみ、ＵＳＢメモリに記憶されているデータの印刷を可能とするプリンタが開示されている。
【０００５】
すなわち、この特許文献１の手法を上述の例に適用する場合には、会社の前記セクションのメンバーにのみ、予めパスワードを教えておくようにする。当該セクションのメンバーは、ＵＳＢメモリをパーソナルコンピュータ（以下、ＰＣと略称する）に接続して、そのパスワードをＰＣから入力することで、ＵＳＢメモリに記憶されているデータの印刷が可能となる。
【０００６】
また、特許文献２（特開２００９−２３７７７８号公報）には、管理装置によりＵＳＢメモリに対して特定のパスワードを予め書んでおくと共に、パーソナルコンピュータでは、ＵＳＢメモリに書き込まれているパスワードと、自己に予め記憶されているパスワードとを比較して、一致したときに、ＵＳＢメモリを当該ＰＣの外部メモリとして使用可能にするようにするセキュリティ管理方法が開示されている。
【０００７】
この特許文献２の手法を上述の例に適用する場合には、管理装置により、上記セクション用のＵＳＢメモリに特定のパスワードを入力しておくと共に、当該セクションで使用されるＰＣにも、同じパスワードを入力しておくようにすれば良い。
【先行技術文献】
【特許文献】
【０００８】
【特許文献１】特開２００７−１２５７１７号公報
【特許文献２】特開２００９−２３７７７８号公報
【発明の概要】
【発明が解決しようとする課題】
【０００９】
しかしながら、特許文献１の場合のパスワードをユーザが入力してＵＳＢメモリの使用を可能にする方法は、ユーザがパスワードを記憶しておき、ＵＳＢメモリを使用しようとする都度、そのパスワードを入力する必要があり、パスワードの入力作業が煩わしいという欠点がある。
【００１０】
特許文献２の方法によれば、ユーザはパスワードを入力する必要がないという利点がある。しかし、特許文献２の方法であっても、パスワードを利用する方法であるため、パスワードを知られてしまうと、盗難などにより会社外に持ち出されて、どこでも、そのＵＳＢメモリへアクセスして、記憶されているデータを読み取ることができてしまうという問題がある。
【００１１】
以上のことにかんがみ、この発明は、パスワードを用いなくても、ＵＳＢメモリなどの主処理部の動作を制限することができる携帯電子装置を提供することを目的とする。
【課題を解決するための手段】
【００１２】
上記の課題を解決するために、この発明は、
無線ＬＡＮ（Local  Area  Network）機能部と、
外部機器との接続部と、
本来的には前記無線ＬＡＮ機能部とは独立に動作すると共に、前記接続部に接続された前記外部機器からのアクセスに応じて所定の処理動作をする機能を備える主処理部と、
前記接続部により前記外部機器に接続された時に、前記外部機器からの前記主処理部へのアクセスを禁止するアクセス禁止状態にし、前記アクセスの禁止状態において、前記無線ＬＡＮ機能部により、無線ＬＡＮ用のアクセスポイント装置との無線接続が確立することができるか否か判別し、前記アクセスポイント装置との無線接続が確立することができたときには、前記主処理部を前記アクセス禁止状態からアクセス許可状態に制御し、無線ＬＡＮ用のアクセスポイント装置との無線接続が確立できないときには前記主処理部を前記アクセス禁止状態のままに制御する制御手段と、
を備える携帯電子装置を提供する。
【００１３】
上述の構成のこの発明による携帯電子装置によれば、その主処理部は、無線ＬＡＮ機能部により無線ＬＡＮ用のアクセスポイント装置との無線接続が確立されているときにのみ、動作可能状態になる。無線ＬＡＮ用のアクセスポイント装置との無線接続は、アクセスポイント装置に設定されている無線ＬＡＮ用の接続用情報と同じ接続用情報が、当該携帯電子装置に設定されているときに可能となる。
【００１４】
したがって、この発明による携帯電子装置の主処理部は、自装置と同じ無線ＬＡＮ用の接続用情報が設定されているアクセスポイント装置の電波が届く範囲内でのみ、動作可能となり、その範囲外になると、動作禁止状態になる。
【００１５】
よって、例えば会社の特定のセクションの部屋内を電波の届く範囲内とするアクセスポイント装置に設定されている無線ＬＡＮ用の接続用情報と同じ接続用情報を、この発明による携帯電子装置に設定するようにすれば、当該携帯電子装置は、その特定のセクションの部屋内でのみ動作可能状態になる。
【発明の効果】
【００１６】
この発明による携帯電子装置によれば、パスワードなどの入力操作は不要として、特定のアクセスポイント装置との無線接続環境下でのみ動作可能となるように制御されるので、使用場所を制限したセキュリティ管理等の装置動作管理が可能となる。
【図面の簡単な説明】
【００１７】
【図１】この発明による携帯電子装置の実施形態の使用環境を示す図である。
【図２】無線ＬＡＮにおける無線接続のシーケンス例を説明するための図である。
【図３】無線ＬＡＮにおける無線接続のシーケンス例を説明するための図である。
【図４】この発明による携帯電子装置の実施形態の構成例を示すブロック図である。
【図５】この発明による携帯電子装置の実施形態の動作制御のシーケンス例を示す図である。
【図６】この発明による携帯電子装置の実施形態の動作例を説明するためのフローチャートの一部を示す図である。
【図７】この発明による携帯電子装置の実施形態の動作例を説明するためのフローチャートの一部を示す図である。
【図８】この発明による携帯電子装置の実施形態の動作例を説明するためのフローチャートの一部を示す図である。
【発明を実施するための形態】
【００１８】
以下、この発明による携帯電子装置の一実施形態を、主処理部がＵＳＢメモリ部である場合を例に、図を参照しながら説明する。
【００１９】
図１は、この発明の実施形態の携帯電子装置の使用環境を示す図である。図１に示すように、この実施形態の携帯電子装置１は、一般的なＵＳＢメモリと同様に、ＰＣ２のＵＳＢ端子２ａに、そのＵＳＢ接続端子部１ａを挿入されることにより、ＰＣに接続される。
【００２０】
しかし、この実施形態の携帯電子装置１のＵＳＢメモリ部は、ＰＣ２に接続されただけでは、ＰＣ２からのアクセスは受け付けない。
【００２１】
この実施形態の携帯電子装置１は、後述するように無線ＬＡＮ機能部を備え、この無線ＬＡＮ機能部により、無線ＬＡＮ用のアクセスポイント装置（以下、アクセスポイント装置をＡＰと略称する）３からの電波の届く範囲内（以下、この範囲内を無線ＬＡＮ接続圏内という）において、無線接続を確立できたときにのみ、主処理部としてのＵＳＢメモリ部へのＰＣ２からのアクセスを許可するようにする。
【００２２】
この場合に、無線ＬＡＮにおいては、予め定められた無線ＬＡＮ用の接続用情報（以下、無線ＬＡＮ接続用情報という）として、同一のものが、ＡＰ３と携帯電子装置１との双方に設定されているときにのみ、後述するような接続シーケンスが成功となって、ＡＰ３と携帯電子装置１との無線接続が確立可能となる。逆に、携帯電子装置１が、ＡＰ３の無線ＬＡＮ圏内に存在しても、無線ＬＡＮ接続用情報が、ＡＰ３に設定されている無線ＬＡＮ接続用情報と異なるときには、後述する接続シーケンスが不成功となり、無線接続は確立されない。
【００２３】
また、図１の下側に示すように、携帯電子装置１がＡＰ３の電波の届かない無線ＬＡＮ圏外に在るときには、無線接続できないことは言うまでもない。
【００２４】
［無線ＬＡＮの接続シーケンス例について］
この発明の実施形態の理解を容易にするために、この実施形態の携帯電子装置１のような無線ＬＡＮ機能を備える端末（以下、無線ＬＡＮ端末という）と、ＡＰとの間で無線接続を開始する際の処理シーケンス例について説明する。
【００２５】
無線ＬＡＮシステムでは、一つのＡＰと、当該ＡＰと通信を行なう複数個の無線ＬＡＮ端末とからなるグループ毎の識別子（この明細書ではネットワーク識別子という）を予め設定して、当該ネットワーク識別子を通信に用いることにより、他のグループの無線ＬＡＮと区別することができるようにしている。ＩＥＥＥ８０２．１１規格の無線ＬＡＮにおいては、ネットワーク識別子は、ＥＳＳＩＤ（Extended  Service  Set  Identifier）と呼ばれている。
【００２６】
また、無線ＬＡＮシステムにおいては、セキュリティ確保のために、前記ネットワーク識別子に加えて、ＡＰと無線ＬＡＮ端末との間での通信データには暗号化を施すようにしており、この暗号化キーも予め設定するようにしている。
【００２７】
ＩＥＥＥ８０２．１１規格の無線ＬＡＮにおいては、暗号化には、ＷＥＰ（Wired  Equivalent  Privacy）方式が用いられる。これは、暗号化と復号化とに同じ鍵（暗号化キー）を用いる秘密鍵暗号化方式（共有鍵暗号方式とも呼ばれる）である。以下の説明においては、ＷＥＰ方式に用いる暗号化キーをＷＥＰキーと称する。この例では、前述のＥＳＳＩＤとＷＥＰキーとにより、前述した無線ＬＡＮ接続用情報を構成する。
【００２８】
無線ＬＡＮ機能を備える端末を、ＡＰを含む無線ＬＡＮグループ内のものとするためには、当該端末を、前記ＡＰに接続要求して登録することが必要であるが、セキュリティを確保する場合においては、当該登録の際に、ＡＰと、無線ＬＡＮ端末とにおいて、両者に設定されているＥＳＳＩＤとＷＥＰキーの相互認証が必要である。
【００２９】
このため、ＡＰに無線ＬＡＮ端末を登録する際に、セキュリティを確保する場合には、事前に、ＥＳＳＩＤおよびＷＥＰキーが、ＡＰと無線ＬＡＮ端末との両方に設定されている必要がある。
【００３０】
ＥＳＳＩＤおよびＷＥＰキーの設定およびＡＰに対する無線ＬＡＮ端末の登録処理（接続処理）の流れを、図２および図３のシーケンス図を参照して説明する。
【００３１】
ＥＳＳＩＤおよびＷＥＰキーの設定が終了した後、無線ＬＡＮ端末の電源をオンにして、ＡＰに対する登録開始とすると、端末は、図２に示すように、自己に設定してあるＥＳＳＩＤを含むプローブリクエストＰｒｏｂｅ  ｒｅｑ．を、ＡＰに送出する。
【００３２】
ＡＰは、このプローブリクエストＰｒｏｂｅ  ｒｅｑ．を受信すると、それに含まれるＥＳＳＩＤと、自装置に記憶されているＥＳＳＩＤとを比較し、両者が同一であることを確認したときには、自装置に保持されているＥＳＳＩＤを含めたプローブレスポンスＰｒｏｂｅ  ｒｅｓ．を無線ＬＡＮ端末に返す。
【００３３】
なお、図３に示すように、ＡＰは、定期的（例えば１００ｍｓｅｃ周期）にビーコンＢｅａｃｏｎを送出する。このビーコンには、ＥＳＳＩＤを含めることができる。
【００３４】
無線ＬＡＮ端末は、プローブレスポンスＰｒｏｂｅ  ｒｅｓ．を受信すると、それに含まれるＥＳＳＩＤ等、ＡＰについての識別情報（例えばＭＡＣ（Media  Access  Control）アドレス等）をリストに保持する。そして、無線ＬＡＮ端末は、そのリストの中から、自端末に記憶されているＥＳＳＩＤと一致するＥＳＳＩＤのＡＰを特定し、その特定したＡＰからのビーコンを待つ。そして、その特定したＡＰからのビーコンを受信すると、次の認証処理（Authentication）に移行する。
【００３５】
無線ＬＡＮ端末は、登録時に、前記プローブレスポンスＰｒｏｂｅ  ｒｅｓ．を受け取らなくても、ビーコンにＥＳＳＩＤが含まれている場合には、当該ビーコンを受信したときに、そのビーコンに含まれるＥＳＳＩＤ等、ＡＰについての情報（ＭＡＣアドレス等）をリストに保持する。そして、無線ＬＡＮ端末は、そのリストの中から、自端末に記憶されているＥＳＳＩＤと一致するＥＳＳＩＤのアクセスポイントを特定し、その特定したＡＰからのビーコンを待つ。そして、その特定したＡＰからのビーコンを受信すると、上述と同様にして、次の認証処理（Authentication）に移行する。
【００３６】
この場合には、無線ＬＡＮ端末において前記プローブリクエストＰｒｏｂｅ  ｒｅｑ．を送出すること、および前記プローブレスポンスＰｒｏｂｅ  ｒｅｓ．を受信してＥＳＳＩＤの認証を行なう処理は、省略することができる。
【００３７】
なお、ビーコンｂｅａｃｏｎにＥＳＳＩＤが含まれていない場合でも、および無線ＬＡＮ端末がＥＳＳＩＤを含むビーコンを受信していない場合でも、プローブリクエストＰｒｏｂｅ  ｒｅｑ．／プローブレスポンスＰｒｏｂｅ  ｒｅｓ．により、ＡＰおよび無線ＬＡＮ端末のＥＳＳＩＤの認証が可能である。
【００３８】
したがって、ＥＳＳＩＤの相互認証のためには、ビーコンＢｅａｃｏｎおよびプローブリクエストＰｒｏｂｅ  ｒｅｑ．／プローブレスポンスＰｒｏｂｅ  ｒｅｓ．は、両方あるいは一方を使用することができる。
【００３９】
すなわち、無線ＬＡＮ端末のＥＳＳＩＤと一致する、ＡＰからのプローブレスポンスＰｒｏｂｅ  ｒｅｓ．あるいはビーコンＢｅａｃｏｎを２回受信することで、認証処理（Authentication）へ移行することができる。つまり、無線ＬＡＮ端末が認証処理（Authentication）へ移行するための２回のプローブレスポンスＰｒｏｂｅ  ｒｅｓ．あるいはビーコンＢｅａｃｏｎの受信としては、次の３通りがある。
【００４０】
（ａ）無線ＬＡＮ端末のＥＳＳＩＤと一致するビーコンＢｅａｃｏｎを２回受信する。  
（ｂ）プローブリクエストＰｒｏｂｅ  ｒｅｑ．／プローブレスポンスＰｒｏｂｅ  ｒｅｓ．を送受信した後、無線ＬＡＮ端末のＥＳＳＩＤと一致するビーコンＢｅａｃｏｎを受信する。  
（ｃ）無線ＬＡＮ端末のＥＳＳＩＤと一致するビーコンＢｅａｃｏｎを受信した後、プローブリクエストＰｒｏｂｅ  ｒｅｑ．／プローブレスポンスＰｒｏｂｅ  ｒｅｓ．を送受信する。
【００４１】
次に、認証処理（Authentication）においては、先ず、無線ＬＡＮ端末は、認証情報Authentication１をＡＰに送る。
【００４２】
ＡＰは、この認証情報Authentication１を受け取ると、無線ＬＡＮ端末が登録可能かどうかチェックし、ランダムな値で作成された仮データを含む認証情報Authentication２を無線ＬＡＮ端末装置に送る。
【００４３】
ＡＰからの認証情報Authentication２を受け取った無線ＬＡＮ端末は、無線ＬＡＮ端末自身に設定されているＷＥＰキーで前記仮データを暗号化したデータを含む認証情報Authentication３を、ＡＰに送る。
【００４４】
ＡＰは、この認証情報Authentication３を受信すると、それに含まれる暗号化された仮データを、ＡＰ自身が保持しているＷＥＰキーで復号化して、元の仮データと比較して、両者が同一であるか否か確認する。そして、仮データが同一であることを確認すると、ＡＰは、認証情報Authentication４を無線ＬＡＮ端末に送る。
【００４５】
無線ＬＡＮ端末は、この認証情報Authentication４を受信したことにより、ＡＰでＷＥＰキーの認証が取れたことを確認する。以上により、ＡＰと無線ＬＡＮ端末との間におけるＷＥＰキーの相互認証が完了となる。
【００４６】
次に、無線ＬＡＮ端末は、認証の取れたＥＳＳＩＤを付加したデータを含む接続要求Ａｓｓｏｃｉａｔｉｏｎ  ｒｅｑ．をＡＰに送る。
【００４７】
ＡＰは、この接続要求Ａｓｓｏｃｉａｔｉｏｎ  ｒｅｑ．を受け取ると、それに含まれるＥＳＳＩＤと、自装置に記憶されているＥＳＳＩＤとを比較し、両者が同一であることを確認したときには、接続応答Ａｓｓｏｃｉａｔｉｏｎ  ｒｅｓ．を無線ＬＡＮ端末に返す。
【００４８】
無線ＬＡＮ端末は、この接続応答Ａｓｓｏｃｉａｔｉｏｎ  ｒｅｓ．を受信することにより、ＡＰに接続要求が受け付けられたことを確認する。
【００４９】
以上の処理により、無線ＬＡＮ端末は、ＡＰに対して登録が完了し、当該登録されたＡＰとの間で無線通信が可能となる。
【００５０】
この実施形態の携帯電子装置１は、以上のような接続シーケンスを実行して、ＡＰ３との間で無線接続が確立されると、ＰＣ２からのアクセスを許可する状態となり、また、ＡＰ３との間で無線接続が確立できないときには、ＰＣ２からのアクセスを禁止する状態となるように構成されている。
【００５１】
したがって、例えばＡＰ３を、会社の特定のセクションに割り当てられた部屋内を無線ＬＡＮ接続圏内とするように設置すると共に、ＡＰ３に設定されている、その特定のセクション用の無線ＬＡＮ接続用情報と同じ無線ＬＡＮ接続用情報を携帯電子装置１に設定することにより、当該携帯電子装置１は、その部屋内でのみ、主処理部としてのＵＳＢメモリ部が使用可能になる。
【００５２】
これにより、携帯電子装置１の主処理部であるＵＳＢメモリ部の使用場所を、前記特定のセクションの部屋にのみ制限することができ、当該セクションの部屋内以外での使用を禁止できる。よって、盗難などにより、この実施形態の携帯電子装置１が外部に持ち出されたとしても、ＡＰ３との間での無線接続ができないので、ＵＳＢメモリ部内の情報のセキュリティ保護を実現することができる。
【００５３】
そして、携帯電子装置１の無線ＬＡＮ機能部には、例えば管理者により、予め、ＡＰ３設定されている無線ＬＡＮ接続用情報と同じ無線ＬＡＮ接続用情報を一度設定しておけば、使用者は無線ＬＡＮ接続用情報を設定入力する必要はない。すなわち、この実施形態においては、携帯電子装置１の特定の部屋内での使用制限に当たって、使用者は、使用の都度、パスワードなどの入力などの煩わしい作業をする必要もない。
【００５４】
なお、図１に示すように、ＡＰ３は、この例では、有線ＬＡＮ４を通じてサーバ５や図示を省略した他の端末に接続されている。この実施形態では、ＡＰ３は、サーバ５から無線ＬＡＮ接続用情報を受信し、当該受信した無線ＬＡＮ接続用情報を自装置に設定するようにする機能を備える。したがって、ＡＰ３に設定される無線ＬＡＮ接続用情報を変更する場合には、管理者は、サーバ５から、変更後の無線ＬＡＮ接続用情報をＡＰ３に送るようにすれば良い。
【００５５】
一方、この実施形態では、携帯電子装置１への無線ＬＡＮ接続用情報の設定は、当該携帯電子装置１がＰＣ２に接続されているときに、ＰＣ２を通じて管理者が入力することにより行うことができる。そして、特に、この実施形態では、管理者以外の者により、携帯電子装置１の無線ＬＡＮ接続用情報が変更されてしまうことを防止するために、携帯電子装置１における無線ＬＡＮ接続用情報の変更は、管理者のみが知る所定のパスワードを、ＰＣ２の操作者が入力したときにのみ可能となるように構成されている。
【００５６】
なお、図１の構成において、携帯電子装置１がＰＣ２に差し込まれて接続され、かつ、携帯電子装置１とＡＰ３との無線ＬＡＮ接続が確立されたときには、その無線ＬＡＮおよび有線ＬＡＮ４を通じて、ＰＣ２とサーバ５や他の端末との間で通信が可能である。つまり、携帯電子装置１の無線ＬＡＮ機能部は、ＵＳＢメモリ部の動作制御用としてのみ使用されるのではなく、通常の無線ＬＡＮ機能部と同様に動作可能である。
【００５７】
次に、この実施形態の携帯電子装置１の、より詳細な構成例について説明する。
【００５８】
［携帯電子装置１のハードウエア構成例］
図４は、この実施形態の携帯電子装置１のハードウエア構成例を示すブロック図である。図４に示すように、この実施形態の携帯電子装置１は、主処理部の例としてのＵＳＢメモリ部１０と、無線ＬＡＮ機能部２０と、ＰＣ等の外部機器に接続するためのインターフェース部３０とからなる。
【００５９】
ＵＳＢメモリ部１０は、例えば半導体メモリからなるデータメモリ部１１と、当該データメモリ部１１に対するデータの読み出しおよび書き込みのメモリアクセスを実行制御するメモリ制御部１２とを備えている。後述するように、ＵＳＢメモリ部１０のメモリ制御部１２は、この例では、無線ＬＡＮ機能部２０が備える制御手段からの制御信号ＣＴＬに応じて、データメモリ部１１に対するデータの読み出しおよび書き込みアクセスを禁止、または許可するように構成されている。
【００６０】
インターフェース部３０は、外部機器のＵＳＢ端子に挿入されるＵＳＢ接続端子部１ａと接続されると共に、ＵＳＢメモリ部１０と、無線ＬＡＮ機能部２０とに接続される。インターフェース部３０は、ＵＳＢ接続端子部１ａに接続されるＰＣ２等の外部機器からの書き込みあるいは読み出しのメモリアクセス要求を、ＵＳＢメモリ部１０および無線ＬＡＮ機能部２０に供給する。インターフェース部３０は、また、メモリアクセスが許可されたＵＳＢメモリ部１０から読み出されたデータを外部機器に送出すると共に、ＰＣ２等の外部機器から送られてくるデータを、メモリアクセスが許可されたＵＳＢメモリ部１０に転送する。
【００６１】
無線ＬＡＮ機能部２０は、この実施形態では、マイクロコンピュータからなる制御手段２１を備える。すなわち、無線ＬＡＮ機能部２０は、例えばマイクロコンピュータが用いられて構成されており、システムバス２００に対してＣＰＵ（Central  Processing  Unit）２０１と、プログラム等を格納するＲＯＭ（Read  Only  Memory）２０２と、ワークエリアとして働くＲＡＭ（Random  Access  Memory）２０３とが接続されている。このＣＰＵ２０１、ＲＯＭ２０２、ＲＡＭ２０３は制御手段２１の要部を構成する。
【００６２】
また、この例では、システムバス２００には、さらに、パケット処理部２０４、無線ＬＡＮ接続用情報記憶部２０５、Ｉ／Ｏポート２０６，２０７，２０８が接続されている。
【００６３】
ＣＰＵ２０１は、この携帯電子装置１の全体の動作を制御するものである。ＲＯＭ２０２には、この携帯電子装置１における無線ＬＡＮ機能部２０によるＡＰとの接続シーケンス処理、ＵＳＢメモリ部１０のメモリアクセス許可／禁止制御処理などの制御処理を実行するためのプログラムが記憶されている。ＣＰＵ２０１は、ＲＡＭ２０３をワークエリア用のメモリとして用いて、このＲＯＭ２０２のプログラムにしたがった前述の制御処理を実行する。
【００６４】
パケット処理部２０４は、受信したＩＰパケットを分解し、また、送信する情報を送信パケットに変換生成する機能を備える。パケット処理部２０４は、また、パケットヘッダおよびパケットデータを解析する機能を備え、ＡＰへの端末６の登録の際の種々の情報のデコード処理をすることが可能である。ＣＰＵ２０１は、受信パケットの解析結果に基づき、前述した接続シーケンスなどを実行する。
【００６５】
接続用情報記憶部２０５は、ＡＰと無線接続するための無線ＬＡＮ接続用情報、この例では、ＥＳＳＩＤおよびＷＥＰキーを記憶する。ＣＰＵ２０１の制御の下、パケット処理部２０４で分解されて得られた情報が、インターフェース３０を通じて外部機器であるＰＣから送られてきた無線ＬＡＮ接続用情報であるときには、その無線ＬＡＮ接続用情報は無線ＬＡＮ接続用情報記憶部２０５に供給されて記憶される。
【００６６】
なお、この実施形態では、無線ＬＡＮ機能部２０における無線ＬＡＮ接続用情報の設定および変更は、前述したように、予め定められたパスワードがＰＣ２から送られてきたときにのみ、制御手段２１により実行される。当該パスワードも、無線ＬＡＮ接続用情報記憶部５に記憶されており、制御手段２１のＣＰＵ２０１は、この無線ＬＡＮ接続用情報記憶部５に記憶されているパスワードと、ＰＣ２から送られてくるパスワードとを比較して、両者が一致したときに、無線ＬＡＮ接続用情報の設定および変更を実行するようにする。
【００６７】
Ｉ／Ｏポート２０６は、インターフェース３０と接続され、インターフェース３０を通じて外部機器との間でのデータのやり取りを行う。また、Ｉ／Ｏポート２０７は、ＵＳＢメモリ部１０に接続される。このＩ／Ｏポート２０７は、メモリアクセス許可／禁止制御用の制御信号ＣＴＬをＵＳＢメモリ部１０に供給するためのものである。
【００６８】
Ｉ／Ｏポート２０８には、無線ＬＡＮ送受信回路２１０が接続される。無線ＬＡＮ送受信回路２１０は、送信用処理回路２１１と、受信用処理回路２１２と、送信アンプ２１３と、受信アンプ２１４と、アンテナ分配回路２１５と、送信アンテナ２１６と、受信アンテナ２１７とを備えて構成される。
【００６９】
送信アンテナ２１６および受信アンテナ２１７は、無線ＬＡＮを通じてのパケットの送受を行なうためのものである。この例の携帯電子装置１では、インターフェース３０を通じて得たＰＣ２からの送信データをパケット処理部２０４で送信用パケットに変換し、その送信用パケットを、ＣＰＵ２０１の制御に応じて、Ｉ／Ｏポート２０８から送信用処理回路２１１およびアンプ２１３、また、アンテナ分配回路２１５を介して送信アンテナ２１６に供給して、無線接続されている端末に対して無線送信する。
【００７０】
また、受信アンテナ２１７を通じて受信したパケットは、アンテナ分配回路２１５およびアンプ２１４を通じて受信用処理回路２１２に供給される。そして、受信用処理回路２１２からの受信パケットは、Ｉ／Ｏポート２０８を通じてシステムバス２００に送出される。そして、その受信パケットは、パケット処理部２０４でパケット分解された後、Ｉ／Ｏポート２０６およびインターフェース３０を通じて、ＰＣ等の外部機器に転送される。
【００７１】
なお、パケット処理部２０４は、ハードウエア構成とするのではなく、ＣＰＵ２０１が、ＲＡＭ２０３をワークエリアとして用いてＲＯＭ２０２のプログラムにしたがって処理を実行するソフトウエア機能部として構成することもできる。
【００７２】
また、図４の例では、ＣＰＵ２０１を含むマイクロコンピュータからなる制御手段２１は、無線ＬＡＮ機能部２０に設けたが、無線ＬＡＮ機能部２０の無線ＬＡＮ送受信回路２１０を除く部分を、制御部として独立に設けるようにしても良い。または、無線ＬＡＮ機能部２０の無線ＬＡＮ送受信回路２１０を除くＣＰＵ２０１等を要部とする制御手段２１をＵＳＢメモリ部１０内に設けるようにしても良い。
【００７３】
［実施形態の携帯電子装置１の動作制御のシーケンス例］
図５は、図１のような使用環境における携帯電子装置１の動作制御のシーケンス例を示す図である。なお、この図５のシーケンス例は、携帯電子装置１には無線ＬＡＮ接続用情報が設定されていない状態で当該携帯電子装置１がＰＣ２に差し込まれて接続された場合の例としている。
【００７４】
図５に示すように、携帯電子装置１がＰＣ２に差し込まれると、ＰＣ２は、接続通知を携帯電子装置１のインターフェース部３０を通じてＵＳＢメモリ部１０および無線ＬＡＮ機能部２０に供給する。
【００７５】
ＵＳＢメモリ部１０および無線ＬＡＮ機能部２０のそれぞれは、このＰＣ２からの接続通知を受けて、ＰＣ２との接続を認識し、その認識通知をＰＣ２に、インターフェース部３０を通じて返す。
【００７６】
この例では、この時点では無線ＬＡＮ機能部２０の無線ＬＡＮ接続用情報記憶部２０５には無線ＬＡＮ接続用情報が記憶されていないので、携帯電子装置１は、ＡＰ３との無線接続は確立していない。このため、この時点では、無線ＬＡＮ機能部２０の制御手段からの制御信号ＣＴＬにより、ＵＳＢメモリ部１０はアクセス禁止の状態に制御されている。したがって、ＰＣ２からＵＳＢメモリ部１０へのメモリアクセスがあったとしても、ＵＳＢメモリ部１０へはアクセスができない状態になっている。
【００７７】
この状態において、図５に示すように、ＰＣ２において、管理者等により、無線ＬＡＮ接続用情報の設定変更の認証のためのパスワードが入力されると、ＰＣ２から、そのパスワードがインターフェース部３０を通じて無線ＬＡＮ機能部２０に送られる。
【００７８】
無線ＬＡＮ機能部２０の制御手段２１のＣＰＵ２０１は、ＰＣ２から送られてきたパスワードと、無線ＬＡＮ接続用情報記憶部２０５に記憶されているパスワードとを比較して、両者が一致したときには、ＰＣ２からの無線ＬＡＮ接続用情報の設定または変更入力を受け付けるようにし、ＰＣ２にインターフェース部３０を通じて「認証ＯＫ」を通知する。
【００７９】
この「認証ＯＫ」の通知を受信したＰＣ２では、管理者等により、ＡＰ３に設定されている無線ＬＡＮ接続用情報と同じ無線ＬＡＮ接続用情報が入力される。すると、この入力された無線ＬＡＮ接続用情報は、携帯電子装置１の無線ＬＡＮ機能部２０に送られる。携帯電子装置１の無線ＬＡＮ機能部２０では、ＣＰＵ２０１は、受け取った無線ＬＡＮ接続用情報を、無線ＬＡＮ接続用情報記憶部２０５に格納する。
【００８０】
そして、携帯電子装置１の無線ＬＡＮ機能部２０は、ＡＰ３からの電波の届く無線ＬＡＮ接続圏内であるときには、接続要求を、送信アンテナ２１６を通じてＡＰ３に送る。これにより、携帯電子装置１とＡＰ３との間で、図２に示した無線ＬＡＮ接続のための接続シーケンスが自動的に実行される。
【００８１】
そして、ＡＰ３は、この携帯電子装置１からの接続要求に基づく接続シーケンスにおいて、自己に設定登録されている無線ＬＡＮ接続用情報と、携帯電子装置１から送られてくる無線ＬＡＮ接続用情報との一致検出を行い、両接続用情報が一致したときに、接続シーケンスが成功したとして、接続応答を携帯電子装置１の無線ＬＡＮ機能部２０に無線送信する。
【００８２】
携帯電子装置１の無線ＬＡＮ機能部２０は、このＡＰ３からの接続応答を受信アンテナ２１７、アンテナ分配回路２１５、アンプ２１４、受信用処理回路２１２を通じて受ける。そして、ＡＰ３と携帯電子装置１の無線ＬＡＮ機能部２０との間で、無線接続を完了するようにする。
【００８３】
こうして、ＡＰ３との無線接続が確立すると、携帯電子装置１の無線ＬＡＮ機能部２０のＣＰＵ２０１は、ＵＳＢメモリ部１０に対する制御信号ＣＴＬを、ＵＳＢメモリ部１０でのメモリアクセスを許可する状態に変更する。この制御信号ＣＴＬを受けて、ＵＳＢメモリ部１０は、ＰＣ２からのメモリアクセスを受け付けて、データの読み出しまたはデータの書き込み動作を可能とする状態になる。
【００８４】
したがって、その後、ＰＣ２から、携帯電子装置１のＵＳＢメモリ部１０に対してメモリアクセス要求があると、ＵＳＢメモリ部１０は、当該ＰＣ２からのメモリアクセスを受けて、要求されたメモリアクセスを実行する。例えば、図５の例の場合のメモリアクセスがデータの読み出しアクセスである場合には、ＵＳＢメモリ部１０は、読み出したデータを、インターフェース部３０を通じてＰＣ２に転送する。
【００８５】
次に、使用者が、携帯電子装置１を所持して、ＡＰ３の無線ＬＡＮ接続圏外に移動したときには、携帯電子装置１の無線ＬＡＮ機能部２０とＡＰ３との無線接続が切断される。すなわち、携帯電子装置１の無線ＬＡＮ機能部２０は、ＡＰ３からの電波の強さを監視しており、その電波の強さが無線接続を維持できない程度に弱くなったときには、ＡＰ３に送信アンテナ２１６を通じて切断要求を送る。この切断要求を受け取ったＡＰ３は、当該切断要求に対するレスポンスとしての切断応答を、無線ＬＡＮ機能部２０に返す。無線ＬＡＮ機能部２０では、この切断応答を受信アンテナ２１７を通じて受け、ＡＰ３との無線接続を切断する。
【００８６】
そして、ＡＰ３との無線接続を切断すると、携帯電子装置１の無線ＬＡＮ機能部２０のＣＰＵ２０１は、ＵＳＢメモリ部１０に対する制御信号ＣＴＬを、ＵＳＢメモリ部１０でのメモリアクセスを禁止する状態に変更する。この制御信号ＣＴＬを受けて、ＵＳＢメモリ部１０は、ＰＣ２からのメモリアクセスを受け付けず、データの読み出しまたはデータの書き込み動作を不可とする状態になる。
【００８７】
［携帯電子装置１の動作例］
次に、図５のシーケンス例に示したようにしてＵＳＢメモリ部２０の動作状態が制御される際における携帯電子装置１の主として制御手段の処理動作例を、図６〜図８のフローチャートを参照しながら説明する。なお、図６〜図８のフローチャートにおける各ステップの処理動作は、ＣＰＵ２０１が、ＲＯＭ２０２のプログラムにしたがって、ＲＡＭ２０３をワークエリアとして用いて実行するものである。
【００８８】
先ず、ＣＰＵ２０１は、携帯電子装置１がＰＣ２に接続されたか否かを、ＰＣ２からの接続通知を受信したか否かにより判別する（ステップＳ１０１）。ステップＳ１０１で、接続通知を受信して携帯電子装置１がＰＣ２に接続されたと判別したときには、ＣＰＵ２０１は、ＵＳＢメモリ部１０および無線ＬＡＮ機能部２０で、ＰＣ２との接続を認識し、ＰＣ２に認識通知を返す（ステップＳ１０２）。そして、ＣＰＵ２０１は、ＵＳＢメモリ部１０に供給する制御信号ＣＴＬにより、ＵＳＢメモリ部１０をアクセス禁止状態に制御する（ステップＳ１０３）。
【００８９】
次に、ＣＰＵ２０１は、ＰＣ２からのメモリアクセスを受信したか否か判別し（ステップＳ１０４）、メモリアクセスを受信したときには、ＵＳＢメモリ部１０は非動作であるので、当該メモリアクセスを拒否する（ステップＳ１０５）。なお、ＰＣ２では、このメモリアクセスの拒否を、ディスプレイ画面で使用者に報知するようにしても良い。
【００９０】
そして、ＣＰＵ２０１は、無線ＬＡＮ接続用情報は、無線ＬＡＮ接続用情報に格納されていて設定済みであるか否か判別する（ステップＳ１０６）。また、ステップＳ１０４でＰＣ２からのメモリアクセスを受信してはいないと判別したときにも、ＣＰＵ２０１は、ステップＳ１０６に進む。
【００９１】
ステップＳ１０６で、無線ＬＡＮ接続用情報は設定済みであると判別したときには、ＣＰＵ２０１は、ＡＰ３の無線ＬＡＮ接続圏内であるか否か判別し（ステップＳ１０７）、無線ＬＡＮ接続圏内ではないと判別したときには、携帯電子装置１がＰＣ２から外されて接続解除されたか否か判別する（ステップＳ１０８）。
【００９２】
ステップＳ１０８で、携帯電子装置１がＰＣ２から外されたと判別したときには、ＣＰＵ２０１は、この処理ルーチンを終了する。また、ステップＳ１０８で、携帯電子装置１がＰＣ２から外されてはいないと判別したときには、ＣＰＵ２０１は、ステップＳ１０４に戻り、このステップＳ１０４以降の処理を繰り返す。
【００９３】
また、ステップＳ１０６で、無線ＬＡＮ接続用情報は設定済みではないと判別したときには、ＣＰＵ２０１は、無線ＬＡＮ接続用情報の設定または変更のための認証用のパスワードを受信したか否か判別する（図７のステップＳ１１１）。このステップＳ１１１で、パスワードを受信してはいないと判別したときには、ＣＰＵ２０１は、携帯電子装置１がＰＣ２から外されて接続解除されたか否か判別する（ステップＳ１１２）。
【００９４】
ステップＳ１１２で、携帯電子装置１がＰＣ２から外されたと判別したときには、ＣＰＵ２０１は、この処理ルーチンを終了する。また、ステップＳ１１２で、携帯電子装置１がＰＣ２から外されてはいないと判別したときには、ＣＰＵ２０１は、ステップＳ１０４に戻り、このステップＳ１０４以降の処理を繰り返す。
【００９５】
また、ステップＳ１１１で、パスワードを受信したと判別したときには、ＣＰＵ２０１は、無線ＬＡＮ接続用情報記憶部２０８に記憶されているパスワードと比較して、両者が一致しているか否かにより、認証ＯＫであるか否か判別する（ステップＳ１１３）。このステップＳ１１３で、受信したパスワードと記憶しているパスワードとが不一致であるため認証ＮＧであると判別したときには、ＣＰＵ２０１は、ＰＣ２に対して認証エラーを通知する（ステップＳ１１４）。そして、ステップＳ１１４に次には、ステップＳ１１２に進み、このステップＳ１１２以降の処理を繰り返す。
【００９６】
そして、ステップＳ１１３で、受信したパスワードと記憶しているパスワードとが一致しているので認証ＯＫであると判別したときには、ＣＰＵ２０１は、ＰＣ２から送られてくるであろう無線ＬＡＮ接続用情報を受信したか否か判別する（ステップＳ１１５）。このステップＳ１１５で、無線ＬＡＮ接続用情報を受信したと判別したときには、ＣＰＵ２０１は、受信した無線ＬＡＮ接続用情報を、無線ＬＡＮ接続用情報記憶部２０８に格納して設定する（ステップＳ１１６）。そして、次に図６のステップＳ１０７に戻り、このステップＳ１０７以降の処理を繰り返す。
【００９７】
また、ステップＳ１１５で、無線ＬＡＮ接続用情報を受信していないと判別したときには、ＣＰＵ２０１は、携帯電子装置１がＰＣ２から外されて接続解除されたか否か判別する（ステップＳ１１７）。
【００９８】
ステップＳ１１７で、携帯電子装置１がＰＣ２から外されたと判別したときには、ＣＰＵ２０１は、この処理ルーチンを終了する。また、ステップＳ１１７で、携帯電子装置１がＰＣ２から外されてはいないと判別したときには、ＣＰＵ２０１は、ステップＳ１１５に戻り、このステップＳ１１５以降の処理を繰り返す。
【００９９】
また、図６のステップＳ１０７で、ＡＰ３の無線ＬＡＮ接続圏内であると判別したときには、ＣＰＵ２０１は、ＡＰ３に対して無線ＬＡＮの接続要求を送り（ステップＳ１２１）、ＡＰ３との間での無線ＬＡＮの接続シーケンスを実行する（ステップＳ１２２）。そして、この接続シーケンスが成功したときにＡＰ３から送られてくる無線接続応答を受信したか否か判別し（ステップＳ１２３）、無線接続応答を受信しなかったときには、この例ではＰＣ２に無線ＬＡＮ接続が不成功に終わったことを通知する（ステップＳ１２４）。
【０１００】
また、ステップＳ１２３で、無線接続応答を受信したときには、ＣＰＵ２０１は、ＡＰ３との間の無線接続を確立し（ステップＳ１２５）、ＵＳＢメモリ部１０に供給する制御信号ＣＴＬにより、ＵＳＢメモリ部１０をアクセス許可状態に制御する（ステップＳ１２６）。なお、このステップＳ１２６では、ＣＰＵ２０１は、ＵＳＢメモリ部１０がアクセス許可状態になったことをＰＣ２に通知するようにしても良い。
【０１０１】
次に、ＣＰＵ２０１は、ＰＣ２からのメモリアクセスを受信したか否か判別し（ステップＳ１２７）、メモリアクセスを受信したと判別したときには、ＵＳＢメモリ部１０でメモリアクセスを受け付けて、データの書き込みまたは読み出しを実行する（ステップＳ１２８）。そして、次に、ＣＰＵ２０１は、ＡＰ３からの電波が無線接続を維持できない程度に弱くなった切断環境になったか否か判別する（ステップＳ１２９）。
【０１０２】
このステップＳ１２９で、無線接続の切断環境にはなっていないと判別したときには、ＣＰＵ２０１は、ステップＳ１２７に戻り、このステップＳ１２７以降の処理を繰り返す。また、ステップＳ１２９で、無線接続の切断環境になったと判別したときには、ＣＰＵ２０１は、ＡＰ３に対して無線接続の切断要求を送出し（ステップＳ１３０）、無線接続の切断処理を実行する（ステップＳ１３１）。そして、図６のステップＳ１０３に戻り、このステップＳ１０３以降の処理を繰り返す。
【０１０３】
また、ステップＳ１２７で、メモリアクセスを受信してはいないと判別したときには、ＣＰＵ２０１は、携帯電子装置１がＰＣ２から外されて接続解除されたか否か判別する（ステップＳ１３２）。
【０１０４】
ステップＳ１３２で、携帯電子装置１がＰＣ２から外されたと判別したときには、ＣＰＵ２０１は、この処理ルーチンを終了する。また、ステップＳ１３２で、携帯電子装置１がＰＣ２から外されてはいないと判別したときには、ＣＰＵ２０１は、ステップＳ１２９に進み、このステップＳ１２９以降の処理を実行する。
【０１０５】
［実施形態の効果］
上述した実施形態の携帯電子装置１によれば、その無線ＬＡＮ機能部２０に設定された無線ＬＡＮ接続用情報と同じ無線ＬＡＮ接続用情報が設定されたＡＰ３の無線ＬＡＮ接続圏内のみ、ＵＳＢメモリ部１０がメモリアクセス動作可能となる。したがって、例えば、会社の特定のセクションの部屋などの特定の場所を無線ＬＡＮ接続圏内とするようにＡＰ３を設置し、携帯電子装置１に、そのＡＰ３と同じ無線ＬＡＮ接続用情報を設定することにより、当該セクションの部屋のみで携帯電子装置１が使用できるように制限することができる。すなわち、ＡＰ３の設置場所に応じて、携帯電子装置１の利用場所を限定することができる。
【０１０６】
そして、携帯電子装置１の使用に当たっては、使用者はパスワードなどの入力が不要であるので、使用者は、パスワードを覚えている必要はなく、また、その入力作業も不要であり、使用者の負担を軽減することができる。
【０１０７】
また、ＡＰ３に設定される無線ＬＡＮ接続用情報を変更することで、携帯電子装置１の動作制御をすることもできる。すなわち、携帯電子装置１の動作を禁止する場合には、携帯電子装置１に設定されている無線ＬＡＮ接続用情報とは異なる無線ＬＡＮ接続用情報を設定し、携帯電子装置１の動作を許可する場合には、携帯電子装置１に設定されている無線ＬＡＮ接続用情報と同じ無線ＬＡＮ接続用情報を設定すればよい。例えば、サーバ５により、予め定めた時間に応じて、ＡＰ３に設定する無線ＬＡＮ接続用情報を変更することにより、携帯電子装置１を特定の時間区間でのみ動作可能とするように制御することもできる。
【０１０８】
さらに、上述の実施形態では、携帯電子装置１の無線ＬＡＮ機能部２０の無線ＬＡＮ接続用情報は、特定のパスワードが入力されたときにのみ変更可能とするように制限したので、携帯電子装置１を、無線ＬＡＮ接続用情報を変更して他の場所で使用しようとしても、それを防止することができる。したがって、携帯電子装置１が盗難されて、ＡＰ３の無線ＬＡＮ接続圏外に持ち出されたときであっても、前記特定のパスワードにより、無線ＬＡＮ接続用情報の変更が困難となり、セキュリティが向上する。
【０１０９】
また、上述の実施形態の携帯電子装置１の無線ＬＡＮ機能部は、上述したように、主処理部の動作制限用のみではなく、通常の無線ＬＡＮ通信用として使用することができる。
【０１１０】
［他の実施形態および変形例］
なお、上述の実施形態は、主処理部がＵＳＢメモリ部であったが、メモリ部としては、カード型メモリ部やハードディスク装置であっても良い。また、主処理部は、メモリに限られるものではなく、その他種々の処理機能手段とすることができる。
【０１１１】
また、上述の実施形態の携帯電子装置は、ＰＣ等の外部機器に接続して使用するものであったが、この発明は、外部機器に接続して使用する装置に限らず、単独で使用する携帯電子装置にも適用可能である。すなわち、例えば記憶媒体に、画像、音声あるいは電子書籍などの情報を格納しておき、無線ＬＡＮ接続が可能な所定の場所でのみ、格納されている画像、音声あるいは電子書籍を再生して、ユーザに視聴させるようにする端末装置にも、この発明は適用可能である。
【０１１２】
また、上述の実施形態では、無線ＬＡＮの接続が確立されたか否かのみにより、携帯電子装置の主処理部の動作状態を制御するようにしたが、冒頭で述べた特許文献１のようにパスワードを、さらに入力したときにのみ、あるいは、特許文献２のように、記憶されているパスワードの一致認証が取れたときにのみ、携帯電子装置の動作を許可するようにしても良い。
【符号の説明】
【０１１３】
１…携帯電子装置、２…ＰＣ、３…ＡＰ、１０…ＵＳＢメモリ部、２０…無線ＬＡＮ機能部
【図１】
0005545433.tif 000002
【図２】
0005545433.tif 000003
【図３】
0005545433.tif 000004
【図４】
0005545433.tif 000005
【図５】
0005545433.tif 000006
【図６】
0005545433.tif 000007
【図７】
0005545433.tif 000008
【図８】
0005545433.tif 000009